(57)【要約】【課題】印刷物として本来の機能を維持しつつ、使い勝手がよい入力装置を提供する。【解決手段】住宅地図１は、表示画面に処理内容を表示する情報提供サーバに処理を行わせるコマンド情報と、該コマンド情報に付加される付加情報とが、読取装置により読み取り可能なコードとして付与された入力装置として機能するものである。この住宅地図１は、複数の情報ページ１３と、情報ページ１３より厚みが厚いおもて表紙１１および裏表紙１２とを有する冊子本体１０と、裏表紙１２の小口側に連接された操作用シート片１４とから構成されている。操作用シート片１４は、収納状態においては裏表紙１２の内側に折り畳まれ、使用状態においてはおもて表紙１１と裏表紙１２との間から取り出す。住宅地図が掲載された情報ページ１３を捲りながら操作用シート片１４に印刷されたアイコンを用いて情報提供サーバへのコマンドなどを入力することができる。【選択図】図２
2010164488.tif 000002
【特許請求の範囲】
【請求項１】
表示画面に処理内容を表示するコンピュータに処理を行わせるコマンド情報と、該コマンド情報に付加される付加情報とが読取装置により読み取り可能なコードとして付与された冊子状の入力装置であって、
複数のシート状の印刷媒体と、該印刷媒体より厚みが厚いおもて表紙および裏表紙とを有する冊子本体と、
前記おもて表紙および前記裏表紙のうちの少なくとも一方の小口側に連接され、収納状態においては前記おもて表紙および裏表紙の間に折り畳まれ、使用状態においては前記おもて表紙と前記裏表紙との間から操作可能に取り出される操作用シート片とを備え、
前記印刷媒体には、印刷された視認コンテンツに対応した前記付加情報に対応する前記コードが付与され、
前記操作用シート片には、各視認コンテンツに関連した前記コマンド情報を示すアイコンが印刷されていると共に、該アイコンが印刷された位置に前記コマンド情報に対応する前記コードが付与されていることを特徴とする入力装置。
【請求項２】
前記アイコンは、各印刷媒体に共通した前記コマンド情報である請求項１記載の入力装置。
【請求項３】
１つの前記アイコンの位置に付与された前記コードは、他の前記アイコンと区別可能な識別情報を示すものである請求項１記載の入力装置。
【請求項４】
前記操作用シート片には、前記表示画面に表示された表示内容を拡大することを前記コンピュータに指示する拡大表示用の前記コマンド情報を示す前記アイコンが印刷されていると共に、該アイコンが印刷された位置に前記拡大表示用のコマンド情報に対応する前記コードが付与されている請求項１に記載の入力装置。
【請求項５】
前記操作用シート片には、前記表示画面に選択項目を示すリストを表示させることを前記コンピュータに指示するリスト表示用の前記コマンド情報を示す前記アイコンが印刷されていると共に、該アイコンが印刷された位置に前記リスト表示用のコマンド情報に対応する前記コードが付与されている請求項１に記載の入力装置。
【請求項６】
前記操作用シート片には、前記表示画面における選択位置を所定方向に移動させることを前記コンピュータに指示する移動用の前記コマンド情報を示す前記アイコンが印刷されていると共に、該アイコンが印刷された位置に前記移動用のコマンド情報に対応する前記コードが付与されている請求項１に記載の入力装置。
【請求項７】
前記操作用シート片には、前記コンピュータに対して位置情報を入力するタブレットが設けられていると共に、該タブレット上の座標に対応するコードが付与された請求項１に記載の入力装置。
【請求項８】
前記操作用シート片には、前記コンピュータに対してキー入力を行なうキーボードが印刷されていると共に、該キーボードに対応するコードが付与されている請求項１に記載の入力装置。
【発明の詳細な説明】
【技術分野】
【０００１】
本発明は、視認コンテンツが印刷されたシート状の印刷媒体に読取可能な情報パターンが印刷され、このパターンを読取装置により読み取らせることで、コンピュータを操作することができる冊子状の入力装置に関する。
【背景技術】
【０００２】
カーナビゲーションシステムは、ＬＣＤ上に表示された地図画面を見ながら出発地や目的地を指定して、距離的に近い経路や、交通事情を考慮した時間的に短い経路を探索することができる。また、インターネット上に開設された地図検索サーバにアクセスしたり、地図データベースと経路検索ソフトをインストールしたパーソナルコンピュータを操作したりする場合でも、精度や処理に要する時間が異なるが、同様の経路探索を行うことができる。このような経路探索装置は、無駄な経路を経由することなく目的地まで辿り着くことができるので利便性が高い。
【０００３】
地図画面を見ながら場所を指定する経路探索装置は、出発地と目的地とが一画面に表示しきれない場合には、出発地を地図上で指定した後に画面スクロールさせて目的地を指定したり、出発地や目的地の細かな住所がわかっていれば、出発地の住所と目的地の住所とを文字入力して選択したりする。
【０００４】
地図画面をスクロールさせながら場所を指定する場合、出発地から目的地まで直線的に地図画面を移動させるものの、スクロールに時間を要したり、表示画面の位置が地図全体のどの位置かがわからなくなってしまったりすることがある。地図帳を用いた場所の指定であれば、それぞれのページを捲りながら場所の選択ができるので、操作者にとっては直感的に場所が理解しやすい。このような地図帳で場所を指定することが可能な入力装置の例が、特許文献１に記載されている。
【０００５】
特許文献１に記載の経路入力装置は、地図情報が印刷された地図領域と、時間情報を入力するための時間情報入力領域と、出発地や目的地を入力するためのコマンド入力領域とが同じページ上に印刷された地図帳から、情報パターンで表された位置情報をペン型入力装置により読み取り、読み取った位置情報をナビゲーション装置へ転送することで、経路探索のための情報を入力するものである。
【先行技術文献】
【特許文献】
【０００６】
【特許文献１】特開２００８−８９３５５号公報
【発明の概要】
【発明が解決しようとする課題】
【０００７】
しかし、特許文献１に記載の経路入力装置は、地図領域と、時間情報入力領域と、コマンド入力領域とが、同じページ上に印刷された地図帳であるため、限られた１ページの面積の中では、時間情報入力領域とコマンド入力領域とを確保しようとすると、地図領域を広く確保することができない。従って、地図帳としての印刷物の本来の機能を発揮することができない。
【０００８】
また、ページによっては、地図領域が占める形状が異なることで、空いたスペースに配置される時間情報入力領域とコマンド入力領域とが、各ページごとに印刷される位置が異なることが想定される。そうなると時間情報入力領域とコマンド入力領域とが入力しにくい場所に配置されてしまい、使い勝手が悪くなるおそれがある。
【０００９】
そこで本発明は、印刷物として本来の機能を維持しつつ、使い勝手がよい入力装置を提供することを目的とする。
【課題を解決するための手段】
【００１０】
本発明は、表示画面に処理内容を表示するコンピュータに処理を行わせるコマンド情報と、該コマンド情報に付加される付加情報とが読取装置により読み取り可能なコードとして付与された冊子状の入力装置であって、複数のシート状の印刷媒体と、該印刷媒体より厚みが厚いおもて表紙および裏表紙とを有する冊子本体と、前記おもて表紙および前記裏表紙のうちの少なくとも一方の小口側に連接され、収納状態においては前記裏表紙の内側に折り畳まれ、使用状態においては前記おもて表紙と前記裏表紙との間から操作可能に取り出される操作用シート片とを備え、前記印刷媒体には、印刷された視認コンテンツに対応した前記付加情報に対応する前記コードが付与され、前記操作用シート片には、各視認コンテンツに関連した前記コマンド情報を示すアイコンが印刷されていると共に、該アイコンが印刷された位置に前記コマンド情報に対応する前記コードが付与されていることを特徴とする。
【００１１】
本発明の入力装置は、コマンド情報に対応するコードと、付加情報に対応するコードとを読取装置により読み取らせることで、表示画面に処理内容を表示するコンピュータに対して処理を行わせるためのコマンド情報と、コマンド情報に付加される付加情報とを入力する冊子状の印刷物である。この入力装置は、収納状態においては、操作用シート片がおもて表紙と裏表紙との間に折り畳まれることで、取り扱いが粗略でも操作用シート片が折れ曲がったり損傷したりしにくい。そして、使用状態においては操作用シート片を操作可能に取り出すことで、処理を行わせるコマンド情報と、コマンド情報に付加される付加情報とを示すコードを読取装置により読み取らせることができる。従って、操作用シート片と印刷媒体とが別々に設けられていることで、印刷媒体には視認コンテンツをページ一面全体に印刷することができる。また、操作用シート片は、印刷媒体より厚みの厚いおもて表紙または裏表紙の少なくとも一方の小口側に連接されていることで、おもて表紙や裏表紙と同質の厚みの厚い操作用シート片とすることができる。従って、使用状態のときに操作用シート片を取り出して使っていても、より破損や折れ曲がりに強い。
【００１２】
前記アイコンは、各印刷媒体に共通したコマンド情報であると、それぞれの印刷媒体の内容に個別に対応させた操作用シート片を設ける必要がないので、印刷媒体を捲りながら１枚の操作用シート片によりコマンド情報や付加情報を入力することができる。
【００１３】
１つの前記アイコンの位置に付与された前記コードは、他の前記アイコンと区別可能な識別情報を示すものであるのが望ましい。アイコンの位置に付与されたコードが、読み取られた位置や座標を示す位置情報であると、コンピュータ側で読み取った位置情報から、対応するコマンドを判別するために、位置情報がどのアイコンの範囲に含まれるものか否かの判定が必要となり、処理が煩雑となる。コードが他のアイコンと区別可能な識別情報であると、読み取ったアイコンを識別情報から容易に判断することができるので、コンピュータ側での処理負担や開発負担を軽減することができる。
【００１４】
前記操作用シート片には、表示画面に表示された表示内容を拡大することを前記コンピュータに指示する拡大表示用の前記コマンド情報を示すアイコンが印刷されていると共に、該アイコンが印刷された位置に前記拡大表示用のコマンド情報に対応する前記コードが付与されているのが望ましい。操作用シート片に表示画面に表示された表示内容を拡大することをコンピュータに指示するコマンド情報を示すアイコンが設けられていると、読取装置によりこのアイコンに付与されたコードを読み取ることで、表示内容を拡大させる指示をコンピュータに対して入力することができる。
【００１５】
前記操作用シート片には、前記表示画面に選択項目を示すリストを表示させることを前記コンピュータに指示するリスト表示用のコマンド情報を示す前記アイコンが印刷されていると共に、該アイコンが印刷された位置に前記リスト表示用のコマンド情報に対応する前記コードが付与されているのが望ましい。操作用シート片に表示画面に選択項目を示すリストを表示させることをコンピュータに指示するコマンド情報を示すアイコンが設けられていると、読取装置によりこのアイコンに付与されたコードを読み取ることで、選択項目を示すリストを表示させる指示をコンピュータに対して入力することができる。
【００１６】
前記操作用シート片には、前記表示画面における選択位置を所定方向に移動させることを前記コンピュータに指示する移動用の前記コマンド情報を示す前記アイコンが印刷されていると共に、該アイコンが印刷された位置に前記移動用のコマンド情報に対応するコードが付与されているのが望ましい。操作用シート片に表示画面における選択位置を所定方向に移動させることをコンピュータに指示するコマンドを示すアイコンが設けられていると、読取装置によりこのアイコンに付与されたコードを読み取ることで、選択位置を所定方向に移動させる指示をコンピュータに対して入力することができる。
【００１７】
前記操作用シート片には、前記コンピュータに対して位置情報を入力するタブレットが設けられていると共に、該タブレット上の座標に対応するコードが付与されていると、タブレット上を読取装置により読み取る操作を行うだけで、コンピュータに対して位置情報の入力をすることができる。
【００１８】
前記操作用シート片には、前記コンピュータに対してキー入力を行うキーボードが印刷されていると共に、該キーボードに対応するコードが付与されていると、キーボード上を読み取る操作を行うだけで、コンピュータに対してキー入力をすることができる。
【発明の効果】
【００１９】
本発明の入力装置は、視認コンテンツが印刷されたシート状の印刷媒体とは別に、操作用シート片が設けられていることで、ページ一面全体に視認コンテンツが印刷された印刷媒体を見ながら、操作用シート片を開いた状態で操作用シート片上を、読取装置により読取操作してコンピュータに対してコマンドを入力することができる。よって、本発明の入力装置は、印刷物として本来の機能を維持しつつ、使い勝手がよいものとすることができる。
【図面の簡単な説明】
【００２０】
【図１】本発明の実施の形態１に係る住宅地図を入力装置として用いた情報提供システムの構成を示す図である。
【図２】図１に示す情報提供システムの住宅地図の斜視図である。
【図３】図２に示す住宅地図の位置図ページの図である。
【図４】図２に示す住宅地図の索引図ページの図である。
【図５】図２に示す住宅地図の目次ページの図である。
【図６】操作用シート片を示す図である。
【図７】ドットパターンの一例を示す図である。
【図８】図１に示す情報提供システムの読取装置の構成を示すブロック図である。
【図９】図１に示す情報提供システムの携帯電話の構成を示すブロック図である。
【図１０】図１に示す情報提供システムの情報提供サーバの構成を示すブロック図である。
【図１１】エリア指定画面の一例を示す図である。
【図１２】選択されたエリアを示す表示画面の一例を示す図である。
【図１３】エリアの基本情報表示画面の一例を示す図である。
【図１４】施設名入力画面の一例を示す図である。
【図１５】施設名入力画面の入力欄に「コインパーキング」と表示された表示画面の一例を示す図である。
【図１６】選択されたエリアを示す表示画面の一例を示す図である。
【図１７】エリアに所在する施設の一覧の表示画面の一例を示す図である。
【図１８】選択されたコインパーキングの所在地を示すマークを地図に重畳させた地図画面の一例を示す図である。
【図１９】検索項目入力画面の一例を示す図である。
【図２０】検索結果一覧表示画面の一例を示す図である。
【図２１】エリアを指定する旨の表示画面の一例を示す図である。
【図２２】選択されたエリアを示す表示画面の一例を示す図である。
【図２３】人口分布を色分けした表示画面の一例を示す図である。
【図２４】本発明の実施の形態１に係る情報提供システムの変形例を示す図である。
【図２５】図２４に示す情報提供システムのカーナビゲーション装置の初期画面の図である。
【図２６】青山通りの歩道を目的地として指定した表示画面を示す図である。
【図２７】経路案内中の表示画面を示す図である。
【図２８】本発明の実施の形態２に係る情報提供システムの構成を示す図である。
【図２９】図２８に示す情報提供システムの旅行ガイドの斜視図である。
【図３０】「観光地と施設」ボタンを選択したときの表示画面の一例を示す図である。
【図３１】「食事とお土産」ボタンを選択したときの表示画面の一例を示す図である。
【図３２】「宿泊情報」ボタンを選択したときの表示画面の一例を示す図である。
【図３３】「交通情報」ボタンを選択したときの表示画面の一例を示す図である。
【図３４】本発明の実施の形態３に係る情報提供システムの構成を示す図である。
【図３５】図３４に示す情報提供システムの料理ガイドの図である。
【発明を実施するための形態】
【００２１】
（実施の形態１）
本発明の実施の形態１に係る入力装置を図面に基づいて説明する。本実施の形態１では、地図帳の一例である住宅地図を入力装置として使用した例を説明する。
図１に示すように住宅地図１は、様々な地図情報を検索するための入力装置として機能する冊子状の印刷物である。本実施の形態１では、住宅地図１として渋谷区を掲載したものを例に説明する。
【００２２】
この住宅地図１を用いた情報提供システム１００は、住宅地図１からコマンドなどを読み取る読取装置２と、読取装置２と接続され、読み取ったコードを送信したり、提供された情報を表示したりする携帯電話３と、受信したコードに基づいて処理を行い、情報を提供する情報提供サーバ４とを備えている。携帯電話３と情報提供サーバ４とは、ネットワークの一例であるインターネットＷに通信可能に接続されている。図１においては、携帯電話３が通信する中継局や基地局は図示していない。
【００２３】
図２に示すように、住宅地図１は、おもて表紙１１と裏表紙１２との間に、シート状の印刷媒体である紙媒体に、視認コンテンツとしてユーザに提供する情報が印刷された複数の情報ページ１３が綴じられた冊子本体である地図本体１０と、操作用シート片１４とを備えている。視認コンテンツとは、視覚的に把握することができる印刷された情報を指す。
情報ページ１３は、渋谷区の位置を示す位置図ページ１３１（図３参照）、見開き２ページに渡って印刷され、ブロックに区分けされた渋谷区の掲載ページを案内する索引図ページ１３２（図４参照）、表形式に町名索引が印刷された目次ページ１３３（図５参照）、建物名称・居住者名や番地を大縮尺の地図上に詳しく表示した住宅地図ページ１３４（図２参照）、住宅地図ページ１３４の凡例を解説した凡例ページ（図示せず）などから構成されている。
【００２４】
操作用シート片１４は、この裏表紙１２の小口側に連接されている。操作用シート片１４が、裏表紙１２と一体的に連接されていることで、裏表紙１２と同質の厚みの厚い紙媒体で形成されている。
図６に示すように、操作用シート片１４には、アイコン群１４１と、タブレット１４２と、キーボード１４３とが印刷されている。
アイコン群１４１としては、縦列に、「基本情報」ボタン１４１ａ、「個別情報検索」ボタン１４１ｂ、「マーケティング検索」ボタン１４１ｃ、「拡大」ボタン１４１ｄ、「戻る」ボタン１４１ｅ、「次へ」ボタン１４１ｆ、「上へ」ボタン１４１ｇ、「決定」ボタン１４１ｈ、「下へ」ボタン１４１ｊ、「リスト表示」ボタン１４１ｋ、「住宅地図帳データで表示」ボタン１４１ｍ、「ナビゲータで表示」ボタン１４１ｎ、「３Ｄデータで表示」ボタン１４１ｏ、および終了ボタン１４１ｐが印刷されている。
タブレット１４２としては、５つのファンクションキー１４２ａと、入力エリアとなるパッド部１４２ｂとが印刷されている。
キーボード１４３としては、ＱＷＥＲＴＹキー配置された文字や、数字、記号の入力に使用されるキャラクターキー１４３ａと、「ALT」キー、「SHIFT」キー、「ENTER」キー、などの制御キー１４３ｂと、カーソルを移動させるときに使用されるカーソルキー１４３ｃと、切り取りや、コピー、貼り付けなどのショートカットキー１４３ｄなどが印刷されている。
【００２５】
この操作用シート片１４に印刷されたアイコン群１４１、タブレット１４２、およびキーボード１４３と、情報ページ１３とには、読取装置２によって読み取られるドットパターンが印刷されている。ドットパターンは、小さい黒点の集合である。例えば、図７に示すようなドットパターンが付与されている。ドットパターンは、ドットの配置によりコマンド情報やコマンド情報に付加される付加情報に対応するコードを表したものである。
アイコン群１４１には他のアイコンと区別可能な識別情報に対応するコードが印刷され、キーボード１４３のそれぞれのキーには他のキーと区別可能な識別情報に対応するコードが印刷されている。また、タブレット１４２のファンクションキー１４２ａにも、それぞれのキーに対応したコードが印刷されている。
また、タブレット１４２のパッド部１４２ｂに印刷されたドットパターンは、タブレット１４２であることを示す識別情報に対応するコードと、パッド部１４２ｂ内の座標を示す位置情報に対応するコードとが印刷されている。
また、情報ページ１３に印刷されたドットパターンは、何ページ目かを示すページ情報に対応するコードと、そのページの座標を示す位置情報に対応するコードとが印刷されている。
また、ドットパターンは、ドットの一つ一つを目視できないような大きさに印刷することにより、視認コンテンツおよびアイコンの見映えを損なわないようにすることが好ましい。
【００２６】
次に、読取装置２について、図８に基づいて説明する。
読取装置２は、住宅地図１に印刷されたドットパターンに先端を向けて読み取るペン型の光学的読取装置である。読取装置２は、携帯電話３のＵＳＢ（Universal Serial Bus）端子に接続ケーブルを介して接続される。
【００２７】
読取装置２は、照明手段２１と、読取手段２２と、パターン認識手段２３と、通信手段２４とを備えている。
照明手段２１は、紙面を明るく照射するためのもので、ＬＥＤ（Light Emitting Diode）が使用できる。読取手段２２は、紙面に印刷されたドットパターンをイメージデータとして読み取るもので、例えばＣＣＤ（Charge Coupled Device）などが使用できる。パターン認識手段２３は、読取手段２２により読み取ったイメージデータをパターン認識によりコードに変換する。通信手段２４は、読取手段２２から出力されたコードを携帯電話３へ出力するＵＳＢインタフェースである。
【００２８】
次に携帯電話３について、図９に基づいて説明する。図９においては、電話機能は図示していない。
携帯電話３は、地図情報検索アプリケーションプログラムを動作させることで、読取装置２からのコードをインターネットＷ上の情報提供サーバ４へ送信して、情報提供サーバ４の処理内容を受信して表示する地図情報検索装置として機能するものである。
携帯電話３は、通信手段３１と、入力手段３２と、表示手段３３と、無線手段３４と、制御手段３５とを備えている。
【００２９】
通信手段３１は、読取装置２からのコードを受信するＵＳＢインタフェースである。入力手段３２は、数字キー、記号キー、機能キー、十字キー（カーソルキーまたは選択キー）などから構成されている。表示手段３３は、ＬＣＤ（Liquid Crystal Display）や有機ＥＬ（Organic Electro-Luminescence）などが使用できる。無線手段３４は、無線信号により基地局または中継局と通信するものであり、制御手段３５からの送信パケットを変調したり、受信パケットを復調して制御手段３５へ出力したりする機能を備えている。制御手段３５は、携帯電話３全体を統括制御する機能を備えている。
【００３０】
次に、情報提供サーバ４について、図１０に基づいて説明する。
情報提供サーバ４は、携帯電話３からのコードが示すコマンド情報および付加情報に基づいて処理をするコンピュータで、電子地図情報提供装置として機能するものである。
情報提供サーバ４は、通信手段４１と、入力手段４２と、表示手段４３と、制御手段４４と、記憶手段４５とを備えている。
【００３１】
通信手段４１は、インターネットＷを介して携帯電話３と通信する機能を備えており、例えば、ＡＤＳＬ（Asymmetric Digital Subscriber Line）や、ＦＴＴＰ（Fiber To The Premises）と接続するＬＡＮ（Local Area Network）とすることができる。入力手段４２および表示手段４３はメンテナンスの際に使用される。入力手段４２は、キーボードやマウスとすることができる。表示手段４３は、ＣＲＴ（Cathode Ray Tube）やＬＣＤとすることができる。
制御手段４４は、コード解析手段４４１と、検索手段４４２と、経路探索手段４４３と、表示画面生成手段４４４と、処理手段４４５とを備えている。
コード解析手段４４１は、携帯電話３から送信されたコードを解析して処理手段４４５へ通知する。検索手段４４２は、処理手段４４５からの指示により記憶手段４５内に格納されたデータベースへアクセスして検索結果を処理手段４４５へ出力する。経路探索手段４４３は、ユーザから指定されたコマンド情報および付加情報に基づき出発地から目的地までの経路探索を行う機能を備えている。経路探索には、例えば、ダイクストラ法などの周知の方法が利用可能である。表示画面生成手段４４４は、処理手段４４５からの表示データに基づいて携帯電話３へ表示させる画面を生成する。処理手段４４５は、情報提供サーバ４全体を統括制御する機能を備えている。
記憶手段４５は、様々な情報が検索手段４４２によって検索可能な状態で格納されているデータベースである。本実施の形態１では、記憶手段４５に地図表示や経路探索に使用される電子地図情報データベースが構築されている。この記憶手段４５は、大容量で高速アクセスが可能なハードディスクドライブを採用することができる。電子地図情報データベースには、地図に関する情報以外に、総人口、総面積、世帯数、銀行やコンビニなどの店舗数などの基本情報、施設に関する個別情報、営業活動に役立てることができるマーケティング情報などがエリアごとに格納されている。
【００３２】
以上のように構成された本発明の実施の形態１に係る情報提供システム１００の動作および使用状態を、図１１から図２７に基づいて説明する。
（初期操作）
まず、操作用シート片１４を使用していない場合には、操作用シート片１４を内側に折り込むことで、情報ページ１３より厚みが厚いおもて表紙１１および裏表紙１２の間に折り畳まれた状態となる。実施の形態１においては、操作用シート片１４は、裏表紙１２の小口側に連接されており、アイコン郡１４１、タブレット１４２およびキーボード１４３は谷折された状態で内側に位置するようになる。操作用シート片１４を使用する場合には、操作用シート片１４を外側へ開くことで、操作可能に取り出せる。
次に、携帯電話３の入力手段３２を操作して、地図情報検索アプリケーションプログラムを起動して、情報提供サーバ４へアクセスする。
【００３３】
（基本情報表示）
基本情報表示とは、総人口や、面積、世帯数など、指定されたエリアに関する基本的な情報を、エリアを選択して、電子地図情報データベースを検索することで、表示させることができる機能である。
【００３４】
ユーザは、最初に操作用シート片１４に印刷された「基本情報」ボタン１４１ａのアイコンに、読取装置２の先端を向ける。読取装置２は、「基本情報」ボタン１４１ａに印刷されたドットパターンを読取手段２２により読み取り、読み取ったドットパターンをパターン認識手段２３により対応したコードに変換して、通信手段２４を介して携帯電話３に出力する。携帯電話３では、制御手段３５が読取装置２からのコードを、無線手段３４を介して情報提供サーバ４へ送信する。
【００３５】
情報提供サーバ４では、コード解析手段４４１が受信したコードを解析する。コード解析手段４４１は、解析した結果、基本情報表示を要求するコード情報であることを判定すると、処理手段４４５に対してその旨を通知する。処理手段４４５は、コード解析手段４４１からの通知が基本情報表示を要求するコマンド情報であると、表示画面生成手段４４４へエリア指定を案内する画面の生成を指示する。
これにより情報提供サーバ４からエリア指定画面（図１１参照）が送信されることで、携帯電話３の表示手段３３に表示される。情報提供サーバ４の処理手段４４５は、このコマンド情報に続く付加情報となるエリア情報の送信待ちをする。
【００３６】
次に、ユーザは、例えば、図４に示す索引図ページ１３２の中からブロックで示されるエリアを決め、そのエリアの位置に読取装置２の先端を向ける。このエリアは、１箇所でもよいし、複数箇所でもよい。本実施の形態１では、ブロック４１，４２，４５，４６を読取装置２により選択したものとする。この操作は、予め索引図ページ１３２を表示画面上に表示させておいて、タブレット１４２のパッド部１４２ｂ上のドットパターンを読取装置２により読み取り情報提供サーバ４へ送信することで、パッド部１４２ｂに印刷された位置情報に応じて表示画面のマウスカーソルを移動させて、ブロックを選択することも可能である。
【００３７】
読取装置２は、ブロック４１，４２，４５，４６に印刷されているドットパターンを読み取り、この読取ったドットパターンを、索引図ページ１３２を示すページ情報に対応するコードと、ブロック４１，４２，４５，４６が位置する座標を示す位置情報に対応するコードへ変換して、基本情報表示を要求するコマンド情報に付加される付加情報として、携帯電話３を介して情報提供サーバ４へ送信する。
【００３８】
情報提供サーバ４では、コード解析手段４４１が受信したコードを解析する。コード解析手段４４１は、解析した結果、基本情報表示を要求するコマンド情報に付加される選択されたエリアを指定するページ情報および位置情報であると判定すると、その旨を処理手段４４５へ通知する。処理手段４４５は、ページ情報および位置情報に基づいて選択された複数のエリア（渋谷区および選択されたブロック名「４１図」，「４２図」，「４５図」，「４６図」）を示す表示画面（図１２参照）を、表示画面生成手段４４４に生成させ、携帯電話３へ送信する。
【００３９】
次に、ユーザは、操作用シート片１４に印刷された「決定」ボタン１４１ｈのアイコンに、読取装置２の先端を向け、選択されたエリアの基本情報を表示させることを要求するコマンド情報を読み取る。
【００４０】
読取装置２は、「決定」ボタン１４１ｈに印刷されているドットパターンを読み取り、読み取ったこのドットパターンを「決定」ボタン１４１ｈを示す識別情報に対応するコードへ変換して、携帯電話３を介して情報提供サーバ４へ送信する。
情報提供サーバ４では、処理手段４４５が、コード解析手段４４１により解析されたエリアの基本情報を表示させることを要求するコマンド情報に基づいて、検索手段４４２に記憶手段４５へ選択されたエリアの基本情報を検索させる。処理手段４４５は、検索された基本情報に基づいて、表示画面生成手段４４４にエリアの基本情報表示画面（図１３参照）を生成させ、携帯電話３へ送信する。
【００４１】
携帯電話３では、情報提供サーバ４から送信された、エリアの基本表示画面を表示手段３３に表示する。このようにして、選択したエリアの総人口、総面積、世帯数などの基本情報を表示させることができる。
【００４２】
（個別情報検索）
個別情報検索とは、指定されたエリアに所在する施設に関する情報および施設名を入力すると共に、エリアを選択することで、電子地図情報データベースを検索して表示させる機能である。
【００４３】
ユーザは、最初に操作用シート片１４に印刷された「個別情報検索」ボタン１４１ｂのアイコンに、読取装置２の先端を向ける。読取装置２は、「個別情報検索」ボタン１４１ｂに印刷されたドットパターンに対応したコードを、個別情報検索を要求するコマンド情報として、携帯電話３を介して情報提供サーバ４へ送信する。
【００４４】
情報提供サーバ４では、処理手段４４５が、受信した個別情報検索を要求するコマンド情報に基づいて、表示画面生成手段４４４に施設名入力画面を生成させ、携帯電話３へ送信する。
これにより情報提供サーバ４から施設名入力画面（図１４参照）が送信され、携帯電話３の表示手段３３に表示される。情報提供サーバ４の処理手段４４５は、このコマンド情報に続く付加情報となるエリア情報の送信待ちをする。
【００４５】
次に、ユーザは、携帯電話３の入力手段３２を使用する代わりに、操作用シート片１４のキーボード１４３の各キーに読取装置２の先端を向け、施設名を入力する。例えば、「コインパーキング」と入力する。「コインパーキング」と入力する場合には、読取装置２により「ＫＯＩＮＮＰＡ−ＫＩＮＮＧＵ」の各キーのドットパターンを読み取った後に、制御キー１４３ｂの「変換」キーのドットパターンを読み取る。携帯電話３の入力手段３２では、限られた数のキーしか設けられていないため、複数のキーが一つのキーに割り当てられているが、操作用シート片１４のキーボード１４３では、パーソナルコンピュータに設けられているキーボードを模して印刷されているため、パーソナルコンピュータを操作するときと同じ手順で入力することができる。
【００４６】
読取装置２は、読み取ったドットパターンを、キーボード１４３の各キーを示す識別情報に対応するコードに変換して、入力されたコードごとに携帯電話３へ送信する。この入力により携帯電話３の制御手段３５は、内蔵したかな漢字変換辞書によりローマ字入力をカタカナに変換して、施設名入力画面の入力欄に「コインパーキング」と表示された表示画面（図１５参照）を表示する。
【００４７】
次に、ユーザは、調べたいエリアを選択する。この選択は、例えば、図５に示す目次ページ１３３から選択することができる。例えば、ユーザは、「初台」に読取装置２の先端を向け、選択したものとする。
読取装置２は、目次ページ１３３の「初台」の位置からドットパターンを読み取り、目次ページ１３３が何ページ目かを示すページ情報に対応するコードと目次ページ上における「初台」が位置する座標を示す位置情報に対応するコードとを、個別情報検索を要求するコマンド情報に対する付加情報として携帯電話３を介して情報提供サーバ４へ送信する。
【００４８】
情報提供サーバ４では、処理手段４４５が、付加情報として受信したページ情報および位置情報に基づいて、表示画面生成手段４４４に、選択されたエリア（渋谷区初台）を示す表示画面（図１６参照）を生成させ、携帯電話３へ送信する。
次に、ユーザは、操作用シート片１４に印刷された「リスト表示」ボタン１４１ｋのアイコンに読取装置２の先端を向け、選択されたエリアに所在するコインパーキングの一覧を表示することを要求するコマンド情報を読み取る。
【００４９】
読取装置２は、読み取った「リスト表示」ボタン１４１ｋに印刷されたドットパターンを、「リスト表示」ボタン１４１ｋを示す識別情報に対応するコードへ変換して、携帯電話３を介して情報提供サーバ４へ送信する。
【００５０】
情報提供サーバ４では、処理手段４４５が、受信したエリアに所在するコインパーキングの一覧を表示させることを要求するコマンド情報に基づいて、検索手段４４２に記憶手段４５内の電子地図データベースを検索させる。処理手段４４５は、検索されたコインパーキングに関する情報に基づいて、エリアに所在する施設（コインパーキング）の一覧を示す表示画面（図１７参照）を、表示画面生成手段４４４に生成させ、携帯電話３へ送信する。
【００５１】
携帯電話３では、情報提供サーバ４から送信された施設の一覧を示す表示画面を表示手段３３に表示する。
次に、ユーザは、施設の一覧画面を見ながら、操作用シート片１４に印刷された「上へ」ボタン１４１ｇまたは「下へ」ボタン１４１ｊに読取装置２の先端を向け、リスト表示された施設の一覧の中から参照したいコインパーキングを指定する。
【００５２】
携帯電話３の制御手段３５は、読取装置２からのコードが「上へ」ボタン１４１ｇに対応するコードであれば、施設の選択画面中のカーソルを上へ移動させる。また、「下へ」ボタン１４１ｊに対応するコードであれば、カーソルを下へ移動させる。そして、表示させたいコインパーキングの上にカーソルが移動したら「決定」ボタン１４１ｈを読み取らせる。そうすることで、施設の一覧の中から参照したいコインパーキングが選択されたことになる。
【００５３】
複数のコインパーキングを選択したい場合には、引き続いて、「上へ」ボタン１４１ｇまたは「下へ」ボタン１４１ｊによりカーソルを移動させ、「決定」ボタン１４１ｈにより順次選択する。そして全てのコインパーキングについて選択が終了すると、ユーザは「住宅地図帳データで表示」ボタン１４１ｍのドットパターンを読取装置２により読み取る。
「住宅地図帳データで表示」ボタン１４１ｍに印刷されたドットパターンを読み取ることで、携帯電話３は、住宅地図帳データ表示を要求するコマンド情報に対応するコードを情報提供サーバ４へ送信する。
【００５４】
情報提供サーバ４は、受信した住宅地図帳データ表示を要求するコマンド情報に基づいて、選択されたコインパーキングの所在地を示すマークを地図に重畳させた地図画面（図１８参照）を生成して、携帯電話３へ送信する。
携帯電話３では、情報提供サーバ４から送信された地図画面を表示手段３３に表示する。ユーザは、表示された地図画面を更に拡大したい場合には、「拡大」ボタン１４１ｄに読取装置２を向け、ドットパターンを読み取る。読取装置２から情報提供サーバ４へ拡大を示すコマンド情報に対応するコードが送信されることで、情報提供サーバ４は地図画面を拡大表示した地図画面を生成して携帯電話３へ送信する。そうすることで、小さい画面の携帯電話３では判りにくい地図画面を、拡大した状態で参照することができる。
このようにして、エリア内に所在する施設の所在地を、地図画面に重畳させて表示させることができる。
【００５５】
（マーケティング検索）
マーケティング検索とは、営業活動などに役立つ情報を検索項目として入力すると共に、エリアを選択することで電子地図情報データベースを検索して表示させる機能である。
【００５６】
ユーザは、最初に操作用シート片１４に印刷された「マーケティング検索」ボタン１４１ｃのアイコンに、読取装置２の先端を向ける。読取装置２は、「マーケティング検索」ボタン１４１ｃに印刷されたドットパターンに対応したコードを、マーケティング検索を要求するコマンド情報として、携帯電話３を介して情報提供サーバ４へ送信する。
【００５７】
情報提供サーバ４では、処理手段４４５が、受信したマーケティング検索を要求するコマンド情報に基づいて、表示画面生成手段４４４に検索項目入力画面を生成させ、携帯電話３へ送信する。
情報提供サーバ４から検索項目入力画面（図１９参照）が送信されることで、携帯電話３の表示手段３３に表示される。情報提供サーバ４の処理手段４４５は、このコマンド情報に続く付加情報となるエリア情報の送信待ちをする。
【００５８】
次に、ユーザは、操作用シート片１４のキーボード１４３の各キーに、読取装置２の先端を向け、検索項目を入力する。例えば、「渋谷区  ６５歳以上  分布」と入力する。キーボード１４３の各キーに読取装置２を向けて読み取ることで、各キーに印刷されたドットパターンに対応するコードが携帯電話３へ送信され、検索項目入力画面の入力欄に「渋谷区  ６５歳以上  分布」が入力される。
【００５９】
次に、ユーザは、操作用シート片１４の上方向を示す「上へ」ボタン１４１ｇ、下方向を示す「下へ」ボタン１４１ｊ、右方向を示す「次へ」ボタン１４１ｆ、左方向を示す「戻る」ボタン１４１ｅをそれぞれ読取装置２により読み取らせ、携帯電話３の表示手段３３内のマウスポインタを移動させて、検索項目入力画面の「候補表示」ボタン上に位置させ、シート片１４の「Ｅｎｔｅｒ」キーを読み取らせる。
この検索項目入力画面の「候補表示」ボタンの押下により携帯電話３から情報提供サーバ４へ候補表示の要求するコマンド情報を示すコードが送信される。
【００６０】
情報提供サーバ４は、候補表示の要求するコマンド情報に基づいて、「渋谷区  ６５歳以上  分布」をキーワードとして記憶手段４５内の電子地図データベースを検索し、その結果をリスト表示した検索結果一覧表示画面（図２０参照）を生成して携帯電話３へ送信する。
次に、ユーザは、携帯電話３の表示手段３３に表示された検索結果一覧表示画面を見ながら操作用シート片１４に印刷された「上へ」ボタン１４１ｇまたは「下へ」ボタン１４１ｊに読取装置２の先端を向け、リスト表示された検索結果一覧の中からから参照したい検索結果を選択する。
【００６１】
携帯電話３の制御手段３５は、読取装置２からのコードが「上へ」ボタン１４１ｇに対応するコードであれば、検索結果一覧表示画面中のカーソルを上へ移動させる。また、「下へ」ボタン１４１ｊに対応するコードであれば、カーソルを下へ移動させる。そして、表示させたい検索結果の上にカーソルが移動したら「次へ」ボタン１４１ｆを読み取らせる。そうすることで、検索結果一覧の中から参照したい検索結果が選択されたことになる。
情報提供サーバ４は、コマンド情報として受信した検索結果に基づいて、エリアを指定する旨の表示画面（図２１参照）を生成して、携帯電話３へ送信する。
携帯電話３は、情報提供サーバ４から送信されたエリアを指定する旨の表示画面を表示手段３３に表示する。
【００６２】
次に、ユーザは、調べたいエリアを選択する。この選択は、例えば、図３に示す位置図ページ１３１から選択することができる。例えば、ユーザは、「渋谷区」を読取装置２の先端を向け、選択したものとする。
読取装置２は、位置図ページ１３１の「渋谷区」からドットパターンを読み取り、位置図ページ１３１を示すページ情報に対応するコードと、位置図ページ１３１上における「渋谷区」が位置する座標を示す位置情報に対応するコードとを、携帯電話３を介して情報提供サーバ４へ送信する。
【００６３】
情報提供サーバ４は、受信したページ情報および位置情報に基づいて選択されたエリア（渋谷区）を示す表示画面（図２２参照）を携帯電話３へ送信する。
次に、ユーザは、操作用シート片１４に印刷された「ナビゲータで表示」ボタン１４１ｎのアイコンに、読取装置２の先端を向け、選択されたエリアについての検索結果を表示することを要求するコマンド情報を読み取る。
【００６４】
読取装置２は、読み取った「ナビゲータで表示」ボタン１４１ｎに印刷されたドットパターンを、「ナビゲータで表示」ボタン１４１ｎを示す識別情報に対応するコードへ変換して、携帯電話３を介して情報提供サーバ４へ送信する。
情報提供サーバ４は、コマンド情報として受信したエリアの人口分布を記憶手段４５内の電子地図データベースから検索し、人口分布を色分けした表示画面（図２３参照）を生成して携帯電話３へ送信する。
【００６５】
この人口分布を色分けした表示画面においても、個別情報検索と同様に、「拡大」ボタン１４１ｄにより拡大表示させることができる。
このようにして、エリア内の年齢別の人口分布などを地図画面に重畳させて表示させることができる。
【００６６】
（地図情報検索アプリケーションプログラムの終了）
地図情報を検索することが終了した場合には、携帯電話３上で動作する地図情報検索アプリケーションプログラムを終了させる。この地図情報検索アプリケーションプログラムの終了は、終了ボタン１４１ｐを読取装置２により読み取る。そうすることで、読取装置２から終了ボタン１４１ｐに対応するコードが終了を示すコマンド情報として携帯電話３へ送信され、携帯電話３にて動作している地図情報検索アプリケーションプログラムが終了する。
【００６７】
このように、本実施の形態１に係る住宅地図１は、視認コンテンツである地図やこの地図の目次が印刷された情報ページ１３とは別に、操作用シート片１４が設けられていることで、ページ一面全体に地図や目次を印刷することができる。従って、ページ一面全体に地図や目次が印刷された情報ページ１３を見ながら、操作用シート片１４を開いた状態で操作用シート片１４上を、読取装置２により読取操作することで情報提供サーバ４に対してコマンドを入力することができ、住宅地図に関する情報やエリアに関する情報を得ることができる。よって、住宅地図１は、印刷物として本来の機能を維持しつつ、使い勝手がよいものである。
【００６８】
操作用シート片１４は、収納状態において、おもて表紙１１および裏表紙１２の間に折り畳まれて挟まれているので、取り扱いが粗略でも操作用シート片が折れ曲がったり損傷したりしにくい。
【００６９】
操作用シート片１４を裏表紙１２と同質の紙媒体で形成することで、厚みが厚い操作用シート片１４とすることができるので、使用状態のときに操作用シート片１４を取り出して使っていても、破損に対する強度や折れ曲がりに対する強度を高いものとすることができる。
【００７０】
操作用シート片１４は、各情報ページ１３に共通したコマンド情報なので、それぞれの情報ページ１３の内容に個別に対応させた操作用シート片を別途設ける必要がない。従って、情報ページ１３を捲りながら１枚の操作用シート片１４によりコマンド情報や付加情報を入力することができる。特に、住宅地図ページ１３４を捲りながら操作するときには効果的である。
【００７１】
操作用シート片１４に設けられたアイコン群１４１の位置には、それぞれのアイコンと区別可能な識別情報に対応するコードがドットパターンによりコマンド情報として付与されているので、情報提供サーバ４のコマンド解析手段４４１はこのコマンド情報を解析し、処理手段４４５がコマンド情報に基づいて処理することができる。例えば、アイコンの位置に付与されたコードが、読み取られた位置や座標を示す位置情報であると、情報提供サーバ４側で読み取った位置情報から、対応するコマンドを判別するために、位置情報がどのアイコンの範囲に含まれるものか否かの判定が必要となり、処理が煩雑となる。コードが他のアイコンと区別可能な識別情報であると、読み取ったアイコンを識別情報から容易に判断することができるので、情報提供サーバ４側での処理負担や開発負担を軽減することができる。
【００７２】
操作用シート片１４には、表示画面に表示された表示内容を拡大することを情報提供サーバ４に指示する拡大表示用のコマンド情報を示す「拡大」ボタン１４１ｄが印刷されていると共に、「拡大」ボタン１４１ｄが印刷された位置に拡大表示用のコマンド情報に対応するコードが付与されているので、表示内容を拡大させる指示を情報提供サーバ４に対して入力することができる。従って、表示画面の内容を拡大表示させるために、例えば、表示画面に表示されたツールバーからドロップダウンするメニューを一つ一つ辿ってコマンドを指定することなく、表示を拡大させる指示を入力することができる。
【００７３】
操作用シート片１４には、表示画面に、選択されたエリアの基本情報を表示した基本情報表示画面（図１３参照）や、選択されたエリアに所在する施設（コインパーキング）の一覧画面を表示させることを情報提供サーバ４に指示する「リスト表示」ボタン１４１ｋが印刷されていると共に、「リスト表示」ボタン１４１ｋが印刷された位置にリスト表示用のコマンド情報に対応するコードが付与されているので、選択項目を示すリストを表示させる指示を情報提供サーバ４に対して入力することができる。従って、選択項目を示すリスト表示をさせるために、例えば、表示画面に表示されたツールバーからドロップダウンするメニューを一つ一つ辿ってコマンドを指定することなく、リスト表示の指示を入力することができる。
【００７４】
操作用シート片１４には、表示画面におけるカーソルによる選択位置を所定方向に移動させることを情報提供サーバ４に指示する「次へ」ボタン１４１ｆ、「上へ」ボタン１４１ｇ、「決定」ボタン１４１ｈ、「下へ」ボタン１４１ｊが印刷されていると共に、このアイコンが印刷された位置に移動用のコマンド情報に対応するコードが付与されているので、選択位置を所定方向に移動させる指示をコンピュータに対して入力させることができる。従って、読取装置２を持つ手を携帯電話３に持ち変えることなく、項目の選択操作を行うことができる。
【００７５】
操作用シート片１４には、情報提供サーバ４に対して位置情報を入力するタブレット１４２のパッド部１４２ｂが設けられていると共に、このタブレット１４２上の座標に対応するコードが付与されているので、タブレット１４２上を読取装置２により読み取る操作を行うだけで、情報提供サーバ４へ位置情報の入力が可能となる。従って、マウスが接続されていない携帯電話３であっても、操作性を損なうことなく、ユーザが表示画面を見ながらタブレット１４２により操作することができる。
【００７６】
操作用シート片１４には、情報提供サーバ４に対してキー入力を行うキーボード１４３が印刷されていると共に、キーボード１４３に対応するコードが付与されていていると、キーボード１４３上を読み取る操作を行うだけで、情報提供サーバ４に対してキー入力をすることができる。従って、限られた数のキーしか備えていない携帯電話３であっても操作性を損なうことなく、ユーザが表示画面を見ながら住宅地図１により操作することができる。
【００７７】
（実施の形態１の変形例）
実施の形態１に係る情報提供システム１００は、読取装置２は携帯電話３に接続され、住宅地図１から読取装置２に読み取ったコマンド情報や付加情報を携帯電話３を介して情報提供サーバ４へ送信することで、地図情報を検索して、結果を携帯電話３へ返信して表示している。この実施の形態１の変形例として機能する情報提供システム１０１（図２４参照）は、読取装置２を情報提供サーバ４（図１０参照）として機能するカーナビゲーション装置５に接続し、住宅地図１を入力装置として使用するものである。
【００７８】
まず、カーナビゲーション装置５の初期画面（図２５参照）にて、入力手段として機能するタッチパネルが設けられた表示画面５１を指先でタッチして、「専用ペンで指定」ボタンを押下する。この操作により専用ペンとして機能する読取装置２が有効となる。
【００７９】
出発地から目的地までの最適経路を探索する場合には、目的地の設定が必要である。
目的地は、住宅地図１の住宅地図ページ１３４の中から行きたい場所に印刷されたドットパターンを読取装置２により読み取ることで指定する。例えば、青山通りの歩道を目的地として指定したとする（図２６参照）。
目的地が指定されたカーナビゲーション装置５は、現在地を出発地とし、指定された場所を目的地として、経路探査手段により最適経路を探索して音声と表示画面とでユーザを案内する（図２７参照）。
【００８０】
このように表示面積が小さいカーナビゲーション装置５であっても、目的地として、住宅地図ページ１３４を捲りながら行きたい場所を指定して最適経路を探索することができるので、情報提供システム１０１は、印刷物として、目的地の位置を把握しやすく理解しやすい視認性と、カーナビゲーション装置５としての機能性を兼ね備えている。従って、住宅地図１は、カーナビゲーション装置５の入力装置として使用しても、使い勝手がよいものである。
【００８１】
（実施の形態２）
本発明の実施の形態２に係る入力装置を図面に基づいて説明する。本実施の形態２では、旅行ガイドを入力装置として使用した例を説明する。図２８においては、図１と同じ構成のものは同符号を付して説明を省略する。
図２８に示すように旅行ガイド１ｘは、旅行に関する情報を検索する入力装置として機能する冊子状の印刷物である。本実施の形態２では、旅行ガイド１ｘは、四国旅行を掲載したものを例に説明する。
【００８２】
この旅行ガイド１ｘを用いた情報提供システム１００ｘは、旅行ガイド１ｘからドットパターンで示されるコマンド情報や付加情報などを読み取り、対応するコードに変換する読取装置２と、読み取ったコードを送信したり、提供された情報を表示したりする携帯電話３と、受信したコードに基づいて処理を行い、情報を提供する情報提供サーバ４とを備えている。
【００８３】
図２９に示す旅行ガイド１ｘは、おもて表紙１１ｘと裏表紙１２ｘとの間に、視認コンテンツが印刷された複数の情報ページ１３ｘが綴じられた冊子本体であるガイド本体１０ｘと、操作用シート片１４ｘとを備えている。図２９に示す見開いた状態の情報ページ１３ｘは、視認コンテンツとして旅行概要が掲載された表示欄と行程の詳細が掲載された一覧表とが印刷された左側の行程ページ１３１ｘと、同様に視認コンテンツとして四国を示す地図上に、行程を示す順路が印刷された右側の行程順路マップページ１３２ｘとから構成されている。
【００８４】
操作用シート片１４ｘは、裏表紙１２ｘの小口側に連接されている。操作用シート片１４ｘが、裏表紙１２ｘと一体的に連接されていることで、裏表紙１２ｘと同質の厚みの厚い紙媒体で形成されている。
操作用シート片１４ｘには、縦列にアイコン群１４１ｘが印刷されている。
情報提供サーバ４の記憶手段４５には、観光地に関する情報、交通機関に関する情報、宿泊施設に関する情報などの旅行情報がデータベースとして構築されている（図１０参照）。
【００８５】
この旅行ガイド１ｘの使用方法は、最初に、知りたいところの位置に印刷されたドットパターンを読取装置２により読み取ることで付加情報を読み取ってポイント選択し、次に、アイコン群１４１ｘの中から該当するアイコンに印刷されたドットパターンを読取装置２により読み取ることでコマンド情報を読み取って機能選択する手順である。
【００８６】
例えば、自宅にて、これから行く観光地の情報を得ようとする場合には、図３０に示すように、まず行程順路マップページ１３２ｘの地図中の観光地（例えば「松山」Ｐ１）に読取装置２を向け、印刷されたドットパターンを読み取る。次に、操作用シート片１４ｘの「観光地と施設」ボタンＡ１の位置のドットパターンを読み取る。
【００８７】
この操作により情報提供サーバ４へは、選択された観光地が位置する座標を示すコードが付加情報として送信され、「観光地と施設」ボタンＡ１を示すコードがコマンド情報として送信される。これにより携帯電話３の表示手段３３には、選択された観光地「松山」に関する観光情報が表示される。図３０に示す例では、城、博物館、温泉などに関する情報が表示されている。
【００８８】
観光地での食事やお土産に関する情報を得ようする場合には、図３１に示すように、まず行程順路マップページ１３２ｘの地図中の観光地（例えば「松山」Ｐ１）に読取装置２を向け、印刷されたドットパターンを読み取る。次に、操作用シート片１４ｘの「食事とお土産」ボタンＡ２の位置のドットパターンを読み取る。これにより携帯電話３の表示手段３３には、情報提供サーバ４から送信された「松山」に関する食事やお土産に関する情報が表示される。図３１の例では、飲食店やお土産や外観写真や、店舗の特徴、平均予算などの情報が表示されている。
【００８９】
宿泊施設の情報を得ようとする場合には、宿泊予定の場所（例えば、「室戸岬」Ｐ２）をポイント選択すると共に、「宿泊情報」ボタンＡ３を機能選択すると、ホテルや旅館、民宿などの情報が表示される。図３２の例では、ホテルの外観写真と、ホテル名、所在地、宿泊費、特徴などが表示されている。
観光地の交通についての情報を得ようする場合には、図３３に示すように、まず行程順路マップページ１３２ｘの地図中の観光地（例えば「松山」Ｐ１）をポイント選択すると共に、「交通機関」ボタンＡ４を機能選択すると、飛行機の時刻表、レンタカー情報、私鉄情報などの交通機関に関する情報が表示される。
観光地の周辺についての情報を得ようとする場合には、観光地をポイント選択すると共に、「周辺マップ」ボタンＡ５を機能選択すると、周辺地域の観光地を案内する情報が表示される。
【００９０】
このように本実施の形態２に係る旅行ガイド１ｘは、視認コンテンツである行程の順路を示す行程順路マップページ１３２ｘとは別に、操作用シート片１４ｘが設けられていることで、ページ一面全体に行程順路を印刷することができる。従って、ページ一面全体に印刷された情報ページ１３ｘを見ながら、操作用シート片１４ｘを開いた状態で操作用シート片１４ｘ上を、読取装置２により読取操作することで情報提供サーバ４に対してコマンドを入力することができ、旅行に関する情報を得ることができる。よって、旅行ガイド１ｘは、印刷物として本来の機能を維持しつつ、使い勝手がよいものである。
【００９１】
（実施の形態３）
本発明の実施の形態３に係る入力装置を図面に基づいて説明する。本実施の形態３では、料理ガイドを入力装置として使用した例を説明する。図３４においては、図１と同じ構成のものは同符号を付して説明を省略する。
図３４に示す料理ガイド１ｙは、料理のレシピに関する情報を検索する入力装置として機能する冊子状の印刷物である。本実施の形態３では、料理としてお好み焼きを例に説明する。
【００９２】
この料理ガイド１ｙを用いた情報提供システム１００ｙは、料理ガイド１ｙからドットパターンで示されるコマンド情報や付加情報などを読み取り、対応するコードに変換する読取装置２と、読み取ったコードを送信したり、提供された情報を表示したりする携帯電話３と、受信したコードに基づいて処理を行い、情報を提供する情報提供サーバ４とを備えている。
【００９３】
図３５に示す料理ガイド１ｙは、おもて表紙１１ｙと裏表紙１２ｙとの間に、視認コンテンツが印刷された複数のシート状の印刷媒体である紙媒体に、複数の情報ページ１３ｙが綴じられた冊子本体であるガイド本体１０ｙと、操作用シート片１４ｙとを備えている。情報ページ１３ｙは、視認コンテンツとして上端のタイトル欄に料理名が記載され、残りの全部に料理の写真が大きく掲載された料理画像ページ１３１ｙから構成されている。図３５に示す見開いた状態の料理画像ページ１３１ｙでは、視認コンテンツとして、左側に焼そばが印刷され、右側にお好み焼きが印刷されている。
【００９４】
操作用シート片１４ｙは、裏表紙１２ｙの小口側に連接されている。この操作用シート片１４ｙが、裏表紙１２ｙと一体的に連接されていることで、裏表紙１２ｙと同質の厚みの厚い紙媒体で形成されている。
操作用シート片１４ｙには、縦列にアイコン群１４１ｙが印刷されている。
情報提供サーバ４の記憶手段４５には、料理のレシピに関する情報や料理の動画などの料理情報がデータベースとして構築されている（図１０参照）。
【００９５】
この料理ガイド１ｙの使用方法は、最初に、料理画像ページ１３１ｙに印刷されたドットパターンを読取装置２により読み取ることで付加情報を読み取り、次に、アイコン群１４１ｘの中から該当するアイコンに印刷されたドットパターンを読取装置２により読み取ることでコマンド情報を読み取って機能選択をする手順である。
【００９６】
例えば、お好み焼きであれば、料理画像ページ１３１ｙに印刷されたお好み焼の画像に読取装置２を向け、印刷されたドットパターンを読み取る。次に、操作用シート片１４ｙの「再生」ボタンＢ１の位置のドットパターンを読み取る。これにより携帯電話３の表示手段３３には、お好み焼きを作るところを撮影した動画が情報提供サーバ４から送信され携帯電話３に表示される。
【００９７】
ユーザは必要に応じて、再生を停止する「停止」ボタンＢ２、巻き戻しをする「戻る」ボタンＢ３、先送りする「次へ」ボタンＢ４を読取装置２を向け、ドットパターンを読み取ることで、情報提供サーバ４が動画の再生を調整する。
また、料理画像ページ１３１ｙに印刷されたお好み焼の画像に読取装置２を向け、印刷されたドットパターンを読み取り、料理がお好み焼きであることを情報提供サーバ４へ通知した後に、「リスト表示」ボタンＢ５に印刷されたドットパターンを読取装置２により読み取ることで、お好み焼きのレシピを携帯電話３に表示させることができる。
【００９８】
このように、本実施の形態３に係る料理ガイドは、視認コンテンツである料理画像が掲載された料理画像ページ１３１ｙとは別に、操作用シート片１４ｙが設けられていることで、ページ一面全体に料理の画像を印刷することができる。従って、ページ一面全体に印刷された情報ページ１３ｙを見ながら、操作用シート片１４ｙを開いた状態で操作用シート片１４ｙ上を、読取装置２により読取操作することで情報提供サーバ４に対してコマンドを入力することができ、料理に関する情報を得ることができる。
【００９９】
また、動画の再生を指示するアイコンである「再生」ボタンＢ１が設けられていることで、料理の作り方を確実に理解することができる。
【０１００】
なお、実施の形態１〜３においては、操作用シート片１４，１４ｘ，１４ｙが裏表紙１２，１２ｘ，１２ｙの小口側に連接されていることで、右手が利き手のユーザに使いやすい状態であるが、左手が利き手のユーザが使いやすいように、おもて表紙１１，１１ｘ，１１ｙの小口側に連接されていてもよい。また、両方の小口側にそれぞれ操作用シート片が設けられていてもよい。
両方の小口側にそれぞれ操作用シート片が設けられていることで、収納状態において、おもて表紙および裏表紙の間にそれぞれ折り畳んでおくことで、破損や汚れを防止することができる。
【０１０１】
また、本実施の形態１〜３では、携帯電話３が、読取装置２からのコードを情報提供サーバ４へ送信したり、情報提供サーバ４からの表示画面を表示したりしていたが、携帯電話３の代わりに、デスクトップ型やノートブック型などのパーソナルコンピュータを使用して、情報提供サーバ４へコードを送信したり、情報提供サーバ４からの表示画面を受信したりすることも可能である。更に、情報提供サーバ４に読取装置２を直接接続する構成とすることも可能である。
【０１０２】
また、本実施の形態１〜３では、住宅地図１、旅行ガイド１ｘ、料理ガイド１ｙに印刷された読み取り可能なコードとして光学的に読み取るドットパターンとしているが、磁気的なパターンを付与してもよい。
【産業上の利用可能性】
【０１０３】
本発明は、パンフレット、ガイドブック、小説、雑誌、マニュアルなどの冊子状の印刷物には好適である。特に本発明は、ページを捲ることが多い住宅地図には最適である。
【符号の説明】
【０１０４】
１…住宅地図、１０…地図本体、１１…おもて表紙、１２…裏表紙、１３…情報ページ、１４…操作用シート片、１４１…アイコン群、１４２…タブレット、１４３…キーボード
１ｘ…旅行ガイド、１０ｘ…ガイド本体、１１ｘ…おもて表紙、１２ｘ…裏表紙、１３ｘ…情報ページ、１４ｘ…操作用シート片、１４１ｘ…アイコン群
１ｙ…料理ガイド、１０ｙ…ガイド本体、１１ｙ…おもて表紙、１２ｙ…裏表紙、１３ｙ…情報ページ、１４ｙ…操作用シート片、１４１ｙ…アイコン群
【図５】
2010164488.tif 000003
【図６】
2010164488.tif 000004
【図７】
2010164488.tif 000005
【図８】
2010164488.tif 000006
【図９】
2010164488.tif 000007
【図１０】
2010164488.tif 000008
【図１１】
2010164488.tif 000009
【図１２】
2010164488.tif 000010
【図１３】
2010164488.tif 000011
【図１４】
2010164488.tif 000012
【図１５】
2010164488.tif 000013
【図１６】
2010164488.tif 000014
【図１７】
2010164488.tif 000015
【図１９】
2010164488.tif 000016
【図２０】
2010164488.tif 000017
【図２１】
2010164488.tif 000018
【図２２】
2010164488.tif 000019
【図２４】
2010164488.tif 000020
【図２８】
2010164488.tif 000021
【図３４】
2010164488.tif 000022
【図３５】
2010164488.tif 000023
【図１】
2010164488.tif 000024
【図２】
2010164488.tif 000025
【図３】
2010164488.tif 000026
【図４】
2010164488.tif 000027
【図１８】
2010164488.tif 000028
【図２３】
2010164488.tif 000029
【図２５】
2010164488.tif 000030
【図２６】
2010164488.tif 000031
【図２７】
2010164488.tif 000032
【図２９】
2010164488.tif 000033
【図３０】
2010164488.tif 000034
【図３１】
2010164488.tif 000035
【図３２】
2010164488.tif 000036
【図３３】
2010164488.tif 000037